【手続補正書】
【提出日】平成29年11月27日(2017.11.27)
【手続補正１】
【補正対象書類名】特許請求の範囲
【補正対象項目名】全文
【補正方法】変更
【補正の内容】
【特許請求の範囲】
【請求項１】
ロータ（１００）であって、
前記ロータ（１００）の本体（１８０）の周りに配置され軸方向に延びる複数のスロット（１４０）と、
軸方向に延びる前記スロット（１４０）のそれぞれ内に径方向に積み重ねられた複数の導体（１３０）と、
前記スロット（１４０）のそれぞれの径方向内側端に配置され軸方向に延びるサブスロット（１６０）と、
各スロット（１４０）において前記サブスロット（１６０）から径方向外側に延びる冷却路（１１０）であり、第１および第２のマニホールドを備える冷却路（１１０）と、を備え、前記第１および第２のマニホールドが、
前記スロット（１４０）に沿う第１の軸方向位置（２４０、３４０）で前記サブスロット（１６０）から略径方向に外側に延びる入口通路（２１０、２１２、２１４、２１６、２１８、３１０、４１０）であり、前記スロット（１４０）の径方向深さの一部まで延びる入口通路（２１０、２１２、２１４、２１６、２１８、３１０、４１０）と、
前記スロット（１４０）の径方向深さの一部から前記ロータ（１００）の径方向外面（１０２）まで略径方向に外側に延びる出口通路（２２０、２２２、２２４、２２６、２２８、３２０、４２０）であり、前記スロット（１４０）に沿う第２の軸方向位置（２５０、３５０）に配置され、前記第１の軸方向位置（２４０、３４０）から軸方向に離間した少なくとも１つの出口通路（２２０、２２２、２２４、２２６、２２８、３２０、４２０）と、
第１の端部（２６０、３６０）で前記入口通路（２１０、２１２、２１４、２１６、２１８、３１０、４１０）と流体接続し、第２の端部（２７０、３７０）で前記出口通路（２２０、２２２、２２４、２２６、２２８、３２０、４２０）と流体接続し、軸方向に延びる複数の通路（２３０、２３２、２３４、２３６、２３８、３３０、３３２、３３４、４３０、４３２、４３４）であり、軸方向に延びる前記複数の通路（２３０、２３２、２３４、２３６、２３８、３３０、３３２、３３４、４３０、４３２、４３４）のそれぞれが、軸方向に延びる他の各通路（２３０、２３２、２３４、２３６、２３８、３３０、３３２、３３４、４３０、４３２、４３４）とは異なる径方向深さで前記スロット（１４０）に配置される、複数の通路（２３０、２３２、２３４、２３６、２３８、３３０、３３２、３３４、４３０、４３２、４３４）と、
を備え、
前記第１および第２のマニホールドが、前記第１のマニホールドの軸方向に延びる複数の通路が、前記第２のマニホールドの軸方向に延びる複数の通路と実質的に平行で、径方向深さが異なり、少なくとも一部が軸方向に重なるような入れ子構造のマニホールドを形成するように構成されている、
ロータ（１００）。
【請求項２】
前記入口通路（２１０、３１０、４１０）および前記出口通路（２２０、３２０、４２０）が、互いに略平行であり、前記サブスロット（１６０）と垂直ではない角度で径方向外側に延びる、請求項１に記載のロータ（１００）。
【請求項３】
前記第１および第２のマニホールドにおいて軸方向に延びる前記複数の通路（２３０、２３２、２３４、３３０、３３２、３３４、４３０、４３２、４３４）のそれぞれが、略同一の軸方向長を有する、請求項１に記載のロータ（１００）。
【請求項４】
軸方向に延びる各通路（２３０、２３２、２３４、２３６、２３８、３３０、３３２、３３４、４３０、４３２、４３４）が、独立して選択される断面積を有する、請求項１に記載のロータ（１００）。
【請求項５】
前記第１のマニホールドの軸方向に延びる前記複数の通路（２３０、２３２、２３４、２３６、２３８、３３０、３３２、３３４、４３０、４３２、４３４）のそれぞれが、前記第１のマニホールドの前記入口通路（２１０、２１２、２１４、３１０、４１０）と流体接続する、請求項１に記載のロータ（１００）。
【請求項６】
前記第１のマニホールドの軸方向に延びる前記複数の通路（２３０、２３２、２３４、２３６、２３８、３３０、３３２、３３４、４３０、４３２、４３４）のそれぞれが、前記第１のマニホールドの出口通路（２２０、２２２、２２４、３２０、４２０）と流体接続する、請求項１に記載のロータ（１００）。
【請求項７】
前記複数の導体（１３０）のそれぞれの間に配置された絶縁体（５２０）をさらに備え、
前記入口通路（２１０、３１０、４１０）および前記出口通路（２２０、３２０、４２０）のそれぞれが、前記導体（１３０）および前記導体（１３０）の間に配置された前記絶縁体（５２０）に開けられた孔（６２０、６３０）を備え、
前記絶縁体（５２０）の前記孔（６２０）が、略丸形であり、各スロット（１４０）の中央平面で略中央に配置される、
請求項１に記載のロータ（１００）。
【請求項８】
前記導体（１３０）の前記孔（６３０）が細長であり、前記絶縁体（５２０）の前記孔（６２０）の軸方向位置に対して、前記導体（１３０）の前記細長孔（６３０）が、前記絶縁体（５２０）の前記孔（６２０）の前記軸方向位置から交互する軸方向に延びる、請求項７に記載のロータ（１００）。
【請求項９】
前記軸方向に延びる通路（２３０、２３２、２３４、３３０、３３２、４３０、４３２）のそれぞれが、隣り合って積み重ねられた導体（１３０）の細長孔（６３０）を含む蛇状通路（２３０、２３２、２３４、３３０、３３２、４３０、４３２）をさらに備え、隣り合って積み重ねられた導体（１３０）の前記細長孔（６３０）が、隣り合って積み重ねられた導体（１３０）の前記細長孔（６３０）が各端部で重なり合うように軸方向に千鳥配置され、
隣り合って積み重ねられた導体（１３０）の前記細長孔（６３０）が、前記細長孔（６３０）の軸方向の重なり合い部と整列する前記挿入された絶縁体（５２０）の孔（６２０）によって互いに滑らかに接続される、
請求項８に記載のロータ（１００）。
【請求項１０】
隣り合って積み重ねられた導体（１３０）の前記細長孔（６３０）が、前記蛇状通路（２３０、２３２、２３４、３３０、３３２、４３０、４３２）がらせん状の流体流路をもたらすように、交互する導体（１３０）において前記細長孔（６３０）が前記スロット（１４０）の前縁部（１４２）および後縁部（１４４）にそれぞれ配置されるように配置される、請求項９に記載のロータ（１００）。
【請求項１１】
軸方向に延びる前記複数の通路（２３０、２３２、２３４、２３６、２３８、３３０、３３２、３３４、４３０、４３２、４３４）のそれぞれが断面積を有し、前記ロータ（１００）の前記外面（１０２）に対して最小の径方向深さで軸方向に延びる通路（２３０、２３２、２３４、２３６、２３８、３３０、３３２、３３４、４３０、４３２、４３４）の前記断面積が、前記ロータ（１００）の前記外面（１０２）に対して大きな径方向深さで前記軸方向に延びる通路（２３０、２３２、２３４、２３６、２３８、３３０、３３２、３３４、４３０、４３２、４３４）の前記断面積よりも大きい、請求項９に記載のロータ（１００）。
【請求項１２】
各細長孔（６３０）が、前記蛇状通路（２３０、２３２、２３４、３３０、３３２、４３０、４３２）の下流方向の細長孔（６３０）に流れを導入するための吹出し開口（６３２）を含む、請求項９に記載のロータ（１００）。
【請求項１３】
前記第２のマニホールドは、前記第１のマニホールドに対して横方向に配置され軸方向に整列され、
前記第２のマニホールド（６００、７００、８００）が、前記第１のマニホールド（２００、３００、４００）によってもたらされた流体流路とは反対の軸方向における流体流路をもたらす、
請求項１に記載のロータ（１００）。
【請求項１４】
ロータ（１００）であって、
前記ロータ（１００）の本体（１８０）の周りに配置され軸方向に延びる複数のスロット（１４０）と、
前記軸方向に延びるスロット（１４０）のそれぞれ内に径方向に積み重ねられた複数の導体（１３０）と、
前記スロット（１４０）のそれぞれの径方向内側端に配置され軸方向に延びるサブスロット（１６０）と、
各スロット（１４０）において前記サブスロット（１６０）から前記複数の導体（１３０）を通じて径方向外側に延びる冷却路（１１０）であり、複数のマニホールド（２００、３００、４００、６００、７００、８００）の入れ子を備える冷却路（１１０）と、
を備え、
マニホールド（２００、３００、４００、６００、７００、８００）のマニホールド（２００、３００、４００、６００、７００、８００）の各入れ子が、
前記スロット（１４０）に沿う第１の軸方向位置（２４０、３４０）で前記サブスロット（１６０）から径方向外側に延びる入口通路（２１０、２１２、２１４、２１６、２１８、３１０、４１０）であり、前記スロット（１４０）の径方向深さの一部まで延びる入口通路（２１０、２１２、２１４、２１６、２１８、３１０、４１０）と、
前記スロット（１４０）の径方向深さの一部から前記ロータ（１００）の径方向外面（１０２）まで径方向外側に延びる出口通路（２２０、２２２、２２４、２２６、２２８、３２０、４２０）であり、前記スロット（１４０）に沿う第２の軸方向位置（２５０、３５０）に配置され、前記第１の軸方向位置（２４０、３４０）から軸方向に離間した出口通路（２２０、２２２、２２４、２２６、２２８、３２０、４２０）と、
第１の端部（２６０、３６０）で前記入口通路（２１０、２１２、２１４、２１６、２１８、３１０、４１０）と流体接続し、第２の端部（２７０、３７０）で前記出口通路（２２０、２２２、２２４、２２６、２２８、３２０、４２０）と流体接続し、軸方向に延びる複数の通路（２３０、２３２、２３４、２３６、２３８、３３０、３３２、３３４、４３０、４３２、４３４）であり、軸方向に延びる前記複数の通路（２３０、２３２、２３４、２３６、２３８、３３０、３３２、３３４、４３０、４３２、４３４）のそれぞれが、軸方向に延びる他の各通路（２３０、２３２、２３４、２３６、２３８、３３０、３３２、３３４、４３０、４３２、４３４）とは異なる径方向深さで前記スロット（１４０）に配置される、複数の通路（２３０、２３２、２３４、２３６、２３８、３３０、３３２、３３４、４３０、４３２、４３４）と、
を備え、
前記マニホールドの各入れ子内において、前記第１のマニホールドの軸方向に延びる複数の通路が、前記第２のマニホールドの軸方向に延びる複数の通路と実質的に平行で、径方向深さが異なる、
ロータ（１００）。
【請求項１５】
マニホールド（２００、３００、４００）の第１の入れ子（５５０）が、マニホールド（６００、７００、８００）の第２の入れ子（５６０）に対して横方向に配置され軸方向に整列され、
マニホールド（６００、７００、８００）の第２の入れ子（５６０）が、第１のマニホールド（２００、３００、４００）によってもたらされた流体流路とは反対の軸方向における流体流路をもたらす、
請求項１４に記載のロータ（１００）。
【請求項１６】
前記導体（１３０）のそれぞれの間に配置された絶縁体（５２０）をさらに備え、
前記入口通路（２１０、３１０、４１０）および前記出口通路（２２０、３２０、４２０）のそれぞれが、
前記絶縁体（５２０）に開けられた略丸形の孔（６２０）と、
前記導体（１３０）に開けられた細長孔（６３０）であり、前記絶縁体（５２０）の前記略丸形の孔（６２０）の軸方向位置に対して、前記導体（１３０）の前記細長孔（６３０）が、前記絶縁体（５２０）の前記孔（６２０）の前記軸方向位置から交互する軸方向に延びる、
請求項１４に記載のロータ（１００）。